(57)【特許請求の範囲】
【請求項１】
上水道水を溜める貯水タンクと、この貯水タンクから供給される水を電気分解して次亜塩素酸を含有する電解水を生成する電極を備えた電解部と、この電解部で生成された電解水を吸い上げる機能を持ち空気がこの吸い上げた電解水に接触して除菌された空気として通気可能な空気通路を形成した除菌エレメントと、前記空気通路を通過する強制風を発生させる送風機とを備えた除菌ユニットを設け、前記空気通路を通過する強制風を貯蔵室の前面開口が前面扉で開閉される構成の貯蔵庫の前方へ送出するように前記除菌ユニットが前記貯蔵庫の上面に設置され、
前記除菌ユニットは、前記上水道水中の遊離塩素濃度が高い場合の塩素臭を抑制するために、前記上水道水中の遊離塩素濃度が高い場合と低い場合（これを標準的状態とする）とで前記除菌ユニットの運転時間を可変できるように、前記遊離塩素濃度が高い場合に適応する弱運転スイッチと、前記標準的状態の場合に適応する強運転スイッチとを備え、前記除菌ユニットは前記前面扉によって作動するドアスイッチまたは前記貯蔵庫に人が近づいたことを検知する人感スイッチによって運転モードとなる構成であり、前記運転モードにおいて、前記強運転スイッチのＯＮに基づきタイマによって、前記送風機の通電と非通電の繰り返しによる前記送風機の通電時間、または前記送風機と前記電極の通電と非通電の繰り返しによる前記送風機と前記電極の通電時間が制御され、前記弱運転スイッチのＯＮに基づきタイマによって、前記通電時間が短くなるように前記送風機の通電と非通電または前記送風機と前記電極の通電と非通電が繰り返されるように動作することを特徴とする貯蔵庫の周辺空気の除菌装置。
【請求項２】
前記除菌ユニットは、扁平状の前記貯水タンクを着脱自在に載置する貯水タンク載置部と、前記電解部と、前記電解部で生成された電解水が導入される水受け部と、下部が前記水受け部の電解水に浸る状態に配置された前記除菌エレメントと、前記空気通路を通過する強制風を前記除菌エレメントの後方から発生させる前記送風機と、この送風機の空気吸い込み側に設けたフィルタ室に上面から下面へ空気が通過するように配置した吸い込みフィルタとが扁平形状のハウジング内に設けられ、前記ハウジングの前面には、前記空気通路を通過した強制風の送風出口と、前記貯水タンクを前面から着脱自在に挿入するタンク挿入口と、前記吸い込みフィルタを前面から着脱自在に挿入するフィルタ挿入口が形成され、前記ハウジングの前面が前記貯蔵庫の前面に向く状態に前記貯蔵庫の上面に設置されたことを特徴とする請求項１に記載の貯蔵庫の周辺空気の除菌装置。
【発明の詳細な説明】
【技術分野】
【０００１】
本発明は、冷蔵庫等の貯蔵庫の上面を有効利用して貯蔵庫が設置されるキッチン等の領域の空気を除菌する技術に関する。
【背景技術】
【０００２】
次亜塩素酸を含有する電解水が除菌作用をすることは周知であり、冷蔵庫内の野菜室へ入る冷気中の雑菌を除菌するために、上水道を電気分解して次亜塩素酸を生成し、この次亜塩素酸を含有する電解水を超音波振動子によって霧化し、この霧化した霧を送風機によって循環する冷気と共に野菜室内に循環させて、野菜の除菌効果を図る技術がある。（例えば、特許文献１）。
【特許文献１】特開２００３−２１４７５８号公報
【発明の開示】
【発明が解決しようとする課題】
【０００３】
特許文献１のものは、霧化した電解水によって冷蔵庫内の所要の部分の除菌作用を行うもので効果があるが、目を冷蔵庫が設置されるキッチン（台所や調理場等）に向けると、この領域の空気中に他の領域（部屋）の空気に比して雑菌が多く存在する場合が多い。そこで本発明は、冷蔵庫等の貯蔵庫が設置される領域の空気中の雑菌の除菌を行うのに適した技術を提供するものである。
【０００４】
最近の冷蔵庫（冷凍冷蔵庫を含む、以下同じ）は、冷凍室、野菜室、冷蔵室等が上下位置に配置された構成であって、高さも１８００ｍｍ程度に高く、そのため、冷蔵庫の上面は単なる空間として存在することが多い。そこで本発明は、キッチン（台所や調理場等）等の除菌を行うようにして、清潔な雰囲気で調理ができる環境を整えることを目的とし、これまで有効利用されていない冷蔵庫の上面を除菌ユニットの設置場所として有効利用することによって、この目的を達成するものである。
【課題を解決するための手段】
【０００５】
第１発明の貯蔵庫の周辺空気の除菌装置は、上水道水を溜める貯水タンクと、この貯水タンクから供給される水を電気分解して次亜塩素酸を含有する電解水を生成する電極を備えた電解部と、この電解部で生成された電解水を吸い上げる機能を持ち空気がこの吸い上げた電解水に接触して除菌された空気として通気可能な空気通路を形成した除菌エレメントと、前記空気通路を通過する強制風を発生させる送風機とを備えた除菌ユニットを設け、前記空気通路を通過する強制風を貯蔵室の前面開口が前面扉で開閉される構成の貯蔵庫の前方へ送出するように前記除菌ユニットが前記貯蔵庫の上面に設置され、
前記除菌ユニットは、前記上水道水中の遊離塩素濃度が高い場合の塩素臭を抑制するために、前記上水道水中の遊離塩素濃度が高い場合と低い場合（これを標準的状態とする）とで前記除菌ユニットの運転時間を可変できるように、前記遊離塩素濃度が高い場合に適応する弱運転スイッチと、前記標準的状態の場合に適応する強運転スイッチとを備え、前記除菌ユニットは前記前面扉によって作動するドアスイッチまたは前記貯蔵庫に人が近づいたことを検知する人感スイッチによって運転モードとなる構成であり、前記運転モードにおいて、前記強運転スイッチのＯＮに基づきタイマによって、前記送風機の通電と非通電の繰り返しによる前記送風機の通電時間、または前記送風機と前記電極の通電と非通電の繰り返しによる前記送風機と前記電極の通電時間が制御され、前記弱運転スイッチのＯＮに基づきタイマによって、前記通電時間が短くなるように前記送風機の通電と非通電または前記送風機と前記電極の通電と非通電が繰り返されるように動作することを特徴とする。
【０００６】
第２発明の貯蔵庫の周辺空気の除菌装置は、第１発明において、前記除菌ユニットは、扁平状の前記貯水タンクを着脱自在に載置する貯水タンク載置部と、前記電解部と、前記電解部で生成された電解水が導入される水受け部と、下部が前記水受け部の電解水に浸る状態に配置された前記除菌エレメントと、前記空気通路を通過する強制風を前記除菌エレメントの後方から発生させる前記送風機と、この送風機の空気吸い込み側に設けたフィルタ室に上面から下面へ空気が通過するように配置した吸い込みフィルタとが扁平形状のハウジング内に設けられ、前記ハウジングの前面には、前記空気通路を通過した強制風の送風出口と、前記貯水タンクを前面から着脱自在に挿入するタンク挿入口と、前記吸い込みフィルタを前面から着脱自在に挿入するフィルタ挿入口が形成され、前記ハウジングの前面が前記貯蔵庫の前面に向く状態に前記貯蔵庫の上面に設置されたことを特徴とする。
【発明の効果】
【００１０】
第１発明では、冷蔵庫等の貯蔵庫の上面を有効利用して、清潔な雰囲気で調理ができる環境を整える場合、上水道水に含まれる遊離塩素濃度が標準的状態の場合（低い場合）と標準的状態よりも高い場合に適応する運転スイッチをそれぞれ備え、遊離塩素濃度が高い場合に塩素臭が気になって不快感を受ける場合には、送風機の通電時間、または送風機と電極の双方の通電時間が短くなるように運転スイッチを選択操作することにより、地域によって上水道水の遊離塩素濃度が異なることに対応して、塩素臭が気にならないように調節可能となる。
【００１１】
第２発明では、吸い込みフィルタは、上面から下面へ空気が通過するように配置される形態であり、貯水タンクは扁平状をなし、これらが扁平形状のハウジングの前面から着脱自在に挿入される構成であり、この構成と共に、ハウジングの前面から除菌エレメントを通過した強制風が送風される構成であるため、貯蔵庫の上面に設置することに適する除菌装置となり、貯水タンクと吸い込みフィルタの出し入れ、清掃、交換等が容易に行えるものとなり、便利である。
【発明を実施するための最良の形態】
【００１５】
本発明は、上水道水を溜める貯水タンクと、この貯水タンクから供給される水を電気分解して次亜塩素酸を含有する電解水を生成する電極を備えた電解部と、この電解部で生成された電解水を吸い上げる機能を持ち空気がこの吸い上げた電解水に接触して除菌された空気として通気可能な空気通路を形成した除菌エレメントと、前記空気通路を通過する強制風を発生させる送風機とを備えた除菌ユニットを設け、前記空気通路を通過する強制風を貯蔵室の前面開口が前面扉で開閉される構成の貯蔵庫の前方へ送出するように前記除菌ユニットが前記貯蔵庫の上面に設置され、
前記除菌ユニットは、前記上水道水中の遊離塩素濃度が高い場合の塩素臭を抑制するために、前記上水道水中の遊離塩素濃度が高い場合と低い場合（これを標準的状態とする）とで前記除菌ユニットの運転時間を可変できるように、前記遊離塩素濃度が高い場合に適応する弱運転スイッチと、前記標準的状態の場合に適応する強運転スイッチとを備え、前記除菌ユニットは前記前面扉によって作動するドアスイッチまたは前記貯蔵庫に人が近づいたことを検知する人感スイッチによって運転モードとなる構成であり、前記運転モードにおいて、前記強運転スイッチのＯＮに基づきタイマによって、前記送風機の通電と非通電の繰り返しによる前記送風機の通電時間、または前記送風機と前記電極の通電と非通電の繰り返しによる前記送風機と前記電極の通電時間が制御され、前記弱運転スイッチのＯＮに基づきタイマによって、前記通電時間が短くなるように前記送風機の通電と非通電または前記送風機と前記電極の通電と非通電が繰り返されるように動作する構成の貯蔵庫の周辺空気の除菌装置であり、本発明の実施例を以下に記載する。
【実施例１】
【００１６】
次に、本発明の貯蔵庫を冷凍冷蔵庫とした実施の形態について説明する。図１は本発明に係る除菌ユニットを載置した冷凍冷蔵庫の斜視図、図２は本発明に係る除菌ユニットの正面斜視図、図３は本発明に係る除菌ユニットの蓋を開いた状態の斜視図、図４は本発明に係る除菌ユニットのハウジング本体の各部品の構成を示す分解斜視図である。
【００１７】
実施例に係る貯蔵庫として、その代表的な一つである冷凍冷蔵庫１を示している。冷凍冷蔵庫１は、前面開口の冷凍冷蔵庫本体２内を区画して複数の貯蔵室を形成し、これら各貯蔵室の前面は扉で開閉できる構成である。冷凍冷蔵庫本体２は外箱（外壁板）と内箱（内壁板）との間に発泡断熱材を充填した断熱構造である。冷凍冷蔵庫本体２内には、上から冷蔵室３、冷凍温度室５、野菜室４が区画されて設けられている。冷蔵室３の前面開口は、冷凍冷蔵庫本体２の一側部にヒンジ装置６によって横方向に回動する回動式の冷蔵室扉７にて開閉される。野菜室４の前面開口は、レールとローラの組み合わせによる支持装置によって、野菜容器と共に前後方向へ移動可能に支持された引き出し式扉８によって開閉される。冷凍室５の前面開口は、野菜室４と同様に、冷凍室内に設けた左右のレールとローラの組み合わせによる支持装置によって、冷凍室容器と共に前後方向へ移動可能に支持された引き出し式扉９にて開閉される。
【００１８】
１０は貯蔵庫１、即ち冷凍冷蔵庫１が設置された周辺空気の除菌を行うための除菌ユニットである。除菌ユニット１０は、機体となるハウジング１１を備え、そのハウジング１１は、周囲壁１１Ｃで囲まれた上面開口のハウジング本体１１Ａと、ハウジング本体１１Ａの上面開口を塞ぐようにハウジング本体１１Ａに組み合わされる蓋１１Ｂとで構成している。ハウジング１１は、全体的に所定の厚さを有する平べったい形状、即ち扁平形状であり、ハウジング本体１１Ａには、左右一方側（図では左方側）に貯水タンク１２を載置するタンク室１３が形成され、中央部に次亜塩素酸を含有する電解水を生成する電極１４を配置する電解室１５と、電解室１５に細い電解水通路１６Ａで連通し除菌エレメント１７を配置する水受け部１８と、送風機２０を配置する送風室１９が形成され、左右他方側（図では右方側）に吸い込みフィルタ２１を水平状態に配置するフィルタ室２２が形成されている。また周囲壁１１Ｃの前面壁には、タンク室１３に対応してタンク挿入口２３が形成され、除菌エレメント１７に対応して送風出口２４が形成され、吸い込みフィルタ２１に対応してフィルタ挿入口２５が形成されている。また、周囲壁１１Ｃの側壁には、フィルタ室２２の側面に対応して空気吸い込み口２６が形成されている。空気吸い込み口２６を上面の蓋１１Ｂに形成すれば、もしこの蓋１１Ｂの上に何らかの物が置かれたとき、この空気吸い込み口２６が塞がれる虞がある。
【００１９】
貯水タンク１２は、タンク室１３に挿入される先端部の底部に、常時閉じる方向へバネ付勢された開閉バルブ２７を備えている。貯水タンク１２は、上面に注水口を備え、この注水口は開閉自在な密閉キャップ１２Ａによって気密に閉じられる。タンク室１３には、貯水タンク１２の底よりも下方に窪んだ貯水部１３Ａが形成されている。そして、この貯水部１３Ａの底から上方へ突出する突起２８を備え、貯水タンク１２がタンク室１３の所定位置に挿入されたとき、突起２８によって開閉バルブ２７を押し上げて開き、貯水タンク１２の水が貯水部１３Ａに入り一定水位に保たれる。この一定水位は、密閉された貯水タンク１２の水圧と貯水部１３Ａの水面に掛かる空気圧とのバランスによって保たれる。貯水タンク１２は、タンク室１３に挿入された状態で周囲壁１１Ｃの高さ内に収まる低い高さ（薄い厚さ）を有した扁平状の直方形状をなし、タンク室１３の所定位置に挿入された状態で、タンク挿入口２３から前方へ突出した形状である。この突出した前部が摘み取っ手部１２Ａとなる。
【００２０】
吸い込みフィルタ２１は、貯蔵庫１、即ち冷凍冷蔵庫１が設置される場所が、多くはキッチンであることを考慮して、空気中の塵埃の細くはもちろんのこと、空気中の油成分を積極的に付着する機能を備えたものである。吸い込みフィルタ２１は、フィルタ挿入口２５から水平状態でフィルタ室２２の所定位置に挿入され、周囲壁１１Ｃの高さの中間位置に支持されて、フィルタ室２２の底面から浮いた状態に保たれ、フィルタ挿入口２５から前方へ突出した形状である。吸い込みフィルタ２１は、この挿入された水平状態において、空気吸い込み口２６から吸い込まれる空気が、吸い込みフィルタ２１の上面から下面へ通過し、フィルタ室２２の後部から送風室１９へ吸い込まれる。送風機２０は電動機で回転するシロッコファン構成であり、送風機２０から送出する強制風は、送風機２０の前方に位置する除菌エレメント１７へ向けて左右に広がった送風路２９から除菌エレメント１７へ送出される。送風機２０の高さは周囲壁１１Ｃの高さ内に収まる高さである。
【００２１】
除菌エレメント１７は、吸い上げ要素部１７Ｂ間に複数の並行した水平方向の空気通路１７Ａを形成する吸い上げ要素部１７Ｂが、エレメントケース１７Ｃに取り付けられた構成であり、除菌エレメント１７の下部が水受け部１８の電解水に浸る状態に配置された状態で、水平方向の空気通路１７Ａは前後方向に向いている。このため、除菌エレメント１７は、吸い上げ要素部１７Ｂが水受け部１８の電解水を毛細管作用によって吸い上げ、送風機２０で発生する強制風が、送風路２９から除菌エレメント１７の空気通路１７Ａを通過する際に、除菌エレメント１７で吸い上げた電解水に触れて除菌され、この除菌された空気が送風出口２４から前方へ送出される仕組みである。除菌エレメント１７の高さは周囲壁１１Ｃの高さ内に収まる高さである。
【００２２】
タンク室１３の貯水部１３Ａに溜まった上水道水が、貯水部１３Ａの側壁の細い通水路１６Ｂから電解室１５へ供給される。電解室１５には、プラス（＋）とマイナス（−）の電極１４を配置しており、この電極１４への通電によって電解室１５の水が電気分解されて、次亜塩素酸を含有する電解水を生成する。この電解水は、細い電解水通路１６Ａから水受け部１８へ供給され、除菌エレメント１７で毛細管作用によって吸い上げられる。電極１４は、電極ハウジング１４Ａに支持されて電解室１５に側壁に支持される。貯水タンク１２の水は、開閉バルブ２７から貯水部１３Ａへ入り、細い（狭い）通水路１６Ｂを通って電解室１５へ入り、電解室１５から細い（狭い）通水路１６Ａを通って水受け部１８へ供給される間に、これらの水が空気に触れて蒸発する量が少ないことが、貯水タンク１２の水を有効利用できることとなる。このため、貯水部１３Ａ、電解室１５及び水受け部１８の水が空気に触れる表面積はなるだけ小さくしてあるが、これらを結ぶ通水路１６Ａ、１６Ｂでの水の蒸発を抑制するために、細い（狭い）通水路１６Ａとしている。
【００２３】
上記のように、貯水タンク１２、電極１４、除菌エレメント１７、送風機２０、及び吸い込みフィルタ２１が、周囲壁１１Ｃの高さ内に収まるように、ハウジング本体１１Ａに組み込まれた状態で、平板状の蓋１１Ｂがハウジング本体１１Ａに組み合わされて、ネジ等によって両者が結合され、これらがハウジング本体１１Ａ内に収まった状態である。蓋１１Ｂには、除菌エレメント１７の出し入れ用窓３６が形成されており、除菌エレメント１７の上面に設けた取っ手部１７Ｄを掴んで、除菌エレメント１７の取り出しと取り付けが可能である。窓３６に略いっぱいに除菌エレメント１７の上部は嵌り合っているため、ここから送風がもれる虞はほとんどない。
【００２４】
このように、除菌ユニット１０は、貯水タンク載置部であるタンク室１３と、電解室１５と、水受け部１８の除菌エレメント１７と、送風室１９の送風機２０と、フィルタ室２２の吸い込みフィルタ２１が平面的配置でもってハウジング１１内に設けられ、貯水タンク１２がハウジング１１の前方から着脱自在に挿入されるタンク挿入口２３と、吸い込みフィルタ２１がハウジング１１の前方から着脱自在に挿入されるフィルタ挿入口２３と、除菌エレメント１７の空気通路１７Ａを通過する強制風が前方へ吹き出す送風出口２４を備え、除菌ユニット１０の上面には、除菌エレメント１７の出し入れ用窓３６が形成されている。
【００２５】
除菌ユニット１０は、単独でキッチン等の適当な場所へ設置して使用できるが、キッチンでは、一般的には、１８００ｍｍ程度に背の高い冷凍冷蔵庫本体２の上面が利用されずにそのままである場合が多いため、この冷凍冷蔵庫本体２の上面を有効利用すれが好ましい。冷凍冷蔵庫本体２の上面は略平坦であり、貯水タンク１２と吸い込みフィルタ２１の突出前端と送風出口２４が前面に向く状態で、冷凍冷蔵庫本体２の上面に除菌ユニット１０を取り付ける。冷凍冷蔵庫本体２の上面前部には、略冷凍冷蔵庫本体２の横幅に渡る長さに化粧パネル３０が設けられ、除菌ユニット１０は、この化粧パネル３０の後面側に配置される。化粧パネル３０には、後端部が略送風出口２４の横幅に一致し前端部に向けて左右側壁が後方から前方へ曲線又は直線で広がった形状をなす送風出口３１が形成されており、除菌ユニット１０の送風出口２４が化粧パネル３０の送風出口３１の後端部に連通状態に取り付けられる。
【００２６】
化粧パネル３０には、送風出口３１を挟んで左右に、吸い込みフィルタ２１の出し入れ用窓３２と、貯水タンク１２の出し入れ用窓３３が形成されており、窓３２内に吸い込みフィルタ２１の前部の摘み部２１Ａが臨み、窓３３内に貯水タンク１２の前部の摘み取っ手部１２Ａが臨む。各種の貯蔵庫１に適用できる大きさの小型の除菌ユニット１０を用意しておき、貯蔵庫１の種類ごとに貯蔵庫１の左右幅に合わせた化粧パネル３０を容易すれば、貯蔵庫１の種類ごとに除菌ユニット１０を製造する必要がなく、化粧パネル３０の交換にみで各種の貯蔵庫１に適用できることとなり、除菌ユニット１０のコストも抑えることができるものとなる。
【００２７】
除菌ユニット１０は、貯蔵庫１、即ち冷凍冷蔵庫１の前面扉７を開いたとき作動するドアスイッチ４０を設け、このスイッチ４０のＯＮ動作によって、除菌ユニット１０が作動する（電極１４と送風機２０へ通電される）ようになっている。ドアスイッチ４０は、近接スイッチ構成である。この近接スイッチ構成としては、前面扉７の裏面周縁には冷凍冷蔵庫本体２の前面開口周縁に吸着する磁石入りガスケット４２が設けられており、前面扉７を閉じることによりこの磁石の近接によって接点が開き（ＯＦＦ）、前面扉７を開いてこの磁石が離れることによって接点が閉じる（ＯＮ）ように動作するスイッチ構成であるが、これに限らず、前面扉７の裏面部に磁石を設けて、この磁石によって同様に動作をするようにすることもできる。また、ドアスイッチ４０は、他の形態であってもよい。なお、扉８、扉９にもドアスイッチ４０と同様のドアスイッチを設ければ、前面扉７、８、９のいずれかが開けば、除菌ユニット１０が作動する（電極１４と送風機２０へ通電される）ように構成できる。
【００２８】
前面扉７が開くことによってドアスイッチ４０がＯＮし、前面扉７が閉じてドアスイッチ４０がＯＦＦしても、制御部（図示せず）の動作によって電極１４と送風機２０へ通電され、前記制御部のタイマによって、所定時間（例えば、３０分）電極１４と送風機２０へ通電し、所定時間（例えば、４時間）電極１４と送風機２０への通電を断ち、再び所定時間（例えば、３０分）電極１４と送風機２０へ通電し、所定時間（例えば、４時間）電極１４と送風機２０への通電を断つという関係を繰り返す動作を行う運転モードとなる。
【００２９】
なお、この運転モードを途中で停止するスイッチ４３を設けて、任意に停止させることもできる。また、このような除菌ユニット１０の作動（運転モード）を所定時間に制限することができる。例えば、電極１４と送風機２０への通電の積算時間が３時間になれば、この運転モードを停止するようにタイマ制御してもよい。これによって、除菌された空気が貯蔵庫１、即ち冷凍冷蔵庫１が設置された領域（室）を循環して、この領域（室）の空気を浄化する。
【００３０】
除菌ユニット１０が使用される地域によって、上水道水等に含まれる遊離塩素濃度が異なるため、除菌ユニット１０の運転時間が、どの地域でも一定であると、遊離塩素濃度が高い場合は、除菌ユニット１０から送出される塩素臭が気になり、不快感を受ける場合がある。このため、遊離塩素濃度が高い場合と低い場合には、除菌ユニット１０の運転時間を可変できるようにし、遊離塩素濃度が高い場合は除菌ユニット１０の運転時間を短くし、遊離塩素濃度が低い場合は除菌ユニット１０の運転時間を長くするように、除菌ユニット１０の運転時間、即ち送風機２０の運転時間、又は電極１４と送風機２０の運転時間を可変するスイッチを設ければ便利である。
【００３１】
このため、除菌ユニットの作動制御スイッチ３５として、強運転スイッチ３５Ａ、中運転スイッチ３５Ｂ、弱運転スイッチ３５Ｃを化粧パネル３０の前面に設け、遊離塩素濃度が低い場合（この場合が標準的な状態とする）は、強運転スイッチ３５ＡをＯＮすれば、前記制御部の動作によって、上記のように、ドアスイッチ４０のＯＮによって、除菌ユニット１０が作動して運転モードとなり、制御部のタイマによって、所定時間（例えば、３０分）電極１４と送風機２０へ通電し、所定時間（例えば、４時間）電極１４と送風機２０への通電を断ち、再び所定時間（例えば、３０分）電極１４と送風機２０へ通電し、所定時間（例えば、４時間）電極１４と送風機２０への通電を断つという関係を繰り返す動作を行う。除菌ユニット１０の運転を途中で停止する場合は、強運転スイッチ３５ＡでＯＦＦさせればよい。なお、強運転スイッチ３５Ａがプッシュプッシュ式であれば、強運転スイッチ３５Ａの１回目のＯＮで運転モードとなり、２回目のＯＮで停止モードとなるように、制御部によって運転停止を制御する方式とすることもできる。
【００３２】
また、遊離塩素濃度が中濃度の場合は、運転スイッチ３５ＢをＯＮすれば、前記制御部の動作によって、上記のように、ドアスイッチ４０のＯＮによって、除菌ユニット１０が作動して運転モードとなり、制御部のタイマによって、所定時間（例えば、２０分）電極１４と送風機２０へ通電し、所定時間（例えば、４時間）電極１４と送風機２０への通電を断ち、再び所定時間（例えば、２０分）電極１４と送風機２０へ通電し、所定時間（例えば、４時間）電極１４と送風機２０への通電を断つという関係を繰り返す動作を行う。除菌ユニット１０の運転を途中で停止する場合は、上記同様に、中運転スイッチ３５ＢでＯＦＦさせればよい。
【００３３】
また、遊離塩素濃度が高濃度の場合は、弱運転スイッチ３５ＣをＯＮすれば、前記制御部の動作によって、上記のように、ドアスイッチ４０のＯＮによって、除菌ユニット１０が作動して運転モードとなり、制御部のタイマによって、所定時間（例えば、１０分）電極１４と送風機２０へ通電し、所定時間（例えば、４時間）電極１４と送風機２０への通電を断ち、再び所定時間（例えば、１０分）電極１４と送風機２０へ通電し、所定時間（例えば、４時間）電極１４と送風機２０への通電を断つという関係を繰り返す動作を行う。除菌ユニット１０の運転を途中で停止する場合は、上記同様に、弱運転スイッチ３５ＢでＯＦＦさせればよい。
【００３４】
また、除菌ユニット１０が作動していない（運転モードでない）状態において、強制的に除菌ユニット１０を作動状態（運転モード状態）にする強制作動スイッチを設けることができる。この場合、例えば、スイッチ４３のＯＮによって制御部の動作に基づき、除菌ユニット１０が作動状態（運転モード状態）となって、上記のように電極１４と送風機２０が間歇動作をし、スイッチ４３の再度のＯＮによって、除菌ユニット１０が停止状態（運転モードの終了）となるように制御することができる。
【００３５】
なお、密閉した６畳の室において、送風機２０の運転時間が略３時間でもって、この密閉した６畳の室の空気が全量循環することができるような送風機２０の容量(出力)とすれば、この６畳の室の除菌効果は略９９％達成できるものが構成でき、通常使用可能な小型化の除菌ユニット１０として適用可能である。
【００３６】
なお、除菌ユニット１０の作動を制御する強運転スイッチ３５Ａ、中運転スイッチ３５Ｂ、弱運転スイッチ３５Ｃや、スイッチ４３は、貯蔵庫１、即ち冷凍冷蔵庫１の前面扉等に設けた操作パネルに設ける構成でもよい。
【実施例２】
【００３７】
また、貯蔵庫１、即ち冷凍冷蔵庫１に人が近づいたことを検知する人感スイッチ４１を設け、このようなスイッチ４１によって、除菌ユニット１０が作動し（電極１４と送風機２０へ通電され）、上記のような強運転スイッチ３５ＡがＯＮしたときと同様の標準動作モードとなるようにすることもできる。この場合も、強運転スイッチ３５Ａ、中運転スイッチ３５Ｂ、弱運転スイッチ３５Ｃを設けておけば、必要に応じて、上記のように中運転スイッチ３５ＢのＯＮによる中濃度運転モードとし、弱運転スイッチ３５ＣをＯＮした場合は、弱運転モードとするように切り替え制御できる。
【実施例３】
【００３８】
また、実施例１又は２の構成の除菌ユニット１０に２４時間タイマを設け、この２４時間タイマによって、例えば夜中などに、上記のような強運転スイッチ３５ＡがＯＮしたときと同様の標準動作モードでもって、所定時間、除菌ユニット１０が運転モード（電極１４と送風機２０へ通電が間歇的に行われる制御）となるようにして、朝には除菌ユニット１０が設置された領域（室）の空気の除菌が終わっているようにすることもできる。
【００３９】
上記各実施例では、送風機２０と電極１４を同期して動作するように通電制御（ＯＮ−ＯＦＦ制御）しているが、両者が非同期で動作するように、個別に必要なときに作動するように制御してもよい。
【産業上の利用可能性】
【００４０】
本発明の貯蔵庫は、上記実施形態の冷凍冷蔵庫に限定されず、本発明の技術的範囲を逸脱しない限り種々の冷蔵庫（冷凍冷蔵庫を含む）の形態に適用できるものである。
【図面の簡単な説明】
【００４１】
【図１】本発明に係る除菌ユニットを載置した冷凍冷蔵庫の斜視図である。（実施例１）
【図２】本発明に係る除菌ユニットの正面斜視図である。（実施例１）
【図３】本発明に係る除菌ユニットの蓋を開いた状態の斜視図である。（実施例１）
【図４】本発明に係る除菌ユニットのハウジング本体の各部品の構成を示す分解斜視図である。（実施例１）
【符号の説明】
【００４２】
１・・・・冷凍冷蔵庫（貯蔵庫）
２・・・・冷凍冷蔵庫本体
３・・・・冷蔵室
４・・・・野菜室
５・・・・冷凍室
７・・・・冷蔵室扉
８・・・・野菜室扉
９・・・・冷凍室扉
１０・・・除菌ユニット
１１・・・ハウジング
１１Ａ・・ハウジング本体
１１Ｂ・・蓋
１１Ｃ・・周囲壁
１２・・・貯水タンク
１２Ａ・・摘み取っ手部
１３・・・タンク室
１４・・・電極
１５・・・電解室
１６Ａ、１６Ｂ・・通水路
１７・・・除菌エレメント
１７Ａ・・空気通路
１７Ｂ・・吸い上げ要素部
１８・・・水受け部
１９・・・送風室
２０・・・送風機
２１・・・吸い込みフィルタ
２２・・・フィルタ室
２３・・・タンク挿入口
２５・・・フィルタ挿入口
２６・・・空気吸い込み口
２７・・・開閉バルブ
２８・・・突起
３０・・・化粧パネル
３１・・・送風出口
３２・・・吸い込みフィルタの出し入れ用窓
３３・・・貯水タンクの出し入れ用窓
３５・・・除菌ユニットの作動制御スイッチ
３５Ａ・・強運転スイッチ
３５Ｂ・・中運転スイッチ
３５Ｃ・・弱運転スイッチ
３６・・・除菌エレメント出し入れ用窓
４０・・・ドアスイッチ
４１・・・人感スイッチ
４２・・・磁石入りガスケット
４３・・・強制作動スイッチ
【図１】
0004771850.tif 000002
【図２】
0004771850.tif 000003
【図３】
0004771850.tif 000004
【図４】
0004771850.tif 000005